(57)【特許請求の範囲】
【請求項１】
元画像を第１の万線により平行に分割し、それぞれ異なる隣り合う２つの第１の万線に挟まれた第１の画像領域と、
隣り合う前記第１の画像領域に挟まれ前記元画像のコントラスト又は明るさを調整した第２の画像領域と、
元画像を前記第１の万線と性質の異なる第２の万線により平行に分割し、それぞれ異なる隣り合う２つの万線に挟まれた第１の潜像領域と、
隣り合う前記第１の潜像領域に挟まれ前記元画像のコントラスト又は明るさを調整した第２の潜像領域と、
を備える
ことを特徴とする印刷物。
【請求項２】
前記第１の万線と前記第２の万線は、傾き角度が異なる
ことを特徴とする請求項１に記載の印刷物。
【請求項３】
前記第１の万線と前記第２の万線は、繰り返しピッチが異なる
ことを特徴とする請求項１に記載の印刷物。
【請求項４】
前記元画像の前記コントラスト又は前記明るさの調整は、３０〜５０％である
ことを特徴とする請求項１乃至請求項３のいずれか１項に記載の印刷物。
【請求項５】
前記第１の万線と前記第２の万線の線幅は、３００μｍ以下である
ことを特徴とする請求項１乃至請求項４のいずれか１項に記載の印刷物。
【請求項６】
元画像を第１の万線により平行に分割し、それぞれ異なる隣り合う２つの第１の万線に挟まれた第１の画像領域、
隣り合う前記第１の画像領域に挟まれ前記元画像のコントラスト又は明るさを調整した第２の画像領域、
元画像を前記第１の万線と性質の異なる第２の万線により平行に分割し、それぞれ異なる隣り合う２つの万線に挟まれた第１の潜像領域、
及び
隣り合う前記第１の潜像領域に挟まれ前記元画像のコントラスト又は明るさを調整した第２の潜像領域、
を有する印刷物と、
前記第１の万線又は前記第２の万線と同じ傾き角度及び同じ繰り返しピッチを持つ平行な直線透明部と直線不透明部との繰り返しパターンを有する判別具と、
を備える
ことを特徴とする判別システム。
【発明の詳細な説明】
【技術分野】
【０００１】
本発明は、主に、商品券、帳票、クーポン券、プリペイドカード等の偽造及び不正コピーを防止する印刷物及び判別システムに関するものである。
【背景技術】
【０００２】
従来から、万線を使用して潜像を顕像させる技術が知られている。例えば、潜像部分と周辺部分とで万線のピッチ又は角度を異ならせて形成し、潜像部分と同じピッチ又は角度の万線を有する判別用フィルムをかぶせることで、顕像化させて観察可能とするものである。
【０００３】
万線を使用した方法では、コントラストの良いスミ等の濃色により万線を印刷するため、一見すると印刷領域内に濃色のベタ領域が存在するかのように見えてしまうため、印刷物の意匠性を損なってしまっていた。
【０００４】
そこで、印刷物をカラーとし、意匠性を上げるために多色カラー印刷の特定の１版のスクリーンの角度を変更して潜像を構成する方法が知られている（特許文献１参照）。
【先行技術文献】
【特許文献】
【０００５】
【特許文献１】特開２００４−２３０５７２号公報
【発明の概要】
【発明が解決しようとする課題】
【０００６】
しかしながら、特許文献１に記載の技術では、特定の１版は実質的に視認性の低い黄色版に限定されてしまい、カラーの選択の幅が狭いという問題があった。
【０００７】
本発明は従来技術のこのような現状に鑑みてなされたものであり、その目的は、意匠性に優れると共に、潜像の顕像化に優れ、偽造及び不正コピーを防止する印刷物及び判別システムを提供することである。
【課題を解決するための手段】
【０００８】
上記目的を達成する本発明の印刷物は、
元画像を第１の万線により平行に分割し、それぞれ異なる隣り合う２つの第１の万線に挟まれた第１の画像領域と、
隣り合う前記第１の画像領域に挟まれ前記元画像のコントラスト又は明るさを調整した第２の画像領域と、
元画像を前記第１の万線と性質の異なる第２の万線により平行に分割し、それぞれ異なる隣り合う２つの万線に挟まれた第１の潜像領域と、
隣り合う前記第１の潜像領域に挟まれ前記元画像のコントラスト又は明るさを調整した第２の潜像領域と、
を備える
ことを特徴とする。
【０００９】
また、前記第１の万線と前記第２の万線は、傾き角度が異なることを特徴とする。
【００１０】
また、前記第１の万線と前記第２の万線は、繰り返しピッチが異なることを特徴とする。
【００１２】
また、前記元画像の前記コントラスト又は前記明るさの調整は、３０〜５０％であることを特徴とする。
【００１５】
また、前記第１の万線と前記第２の万線の線幅は、３００μｍ以下であることを特徴とする。
【００１７】
さらに、判別システムは、元画像を第１の万線により平行に分割し、それぞれ異なる隣り合う２つの第１の万線に挟まれた第１の画像領域、
隣り合う前記第１の画像領域に挟まれ前記元画像のコントラスト又は明るさを調整した第２の画像領域、
元画像を前記第１の万線と性質の異なる第２の万線により平行に分割し、それぞれ異なる隣り合う２つの万線に挟まれた第１の潜像領域、
及び
隣り合う前記第１の潜像領域に挟まれ前記元画像のコントラスト又は明るさを調整した第２の潜像領域、
を有する印刷物と、
前記第１の万線又は前記第２の万線と同じ傾き角度及び同じ繰り返しピッチを持つ平行な直線透明部と直線不透明部との繰り返しパターンを有する判別具と、
を備える
ことを特徴とする。
【発明の効果】
【００１８】
本発明においては、意匠性に優れると共に、潜像の顕像化に優れ、偽造及び不正コピーを防止する印刷物及び判別システムを提供することが可能となる。
【図面の簡単な説明】
【００１９】
【図１】本実施形態の元画像１の一例を示す図である。
【図２】本実施形態の万線画像２の一例を示す図である。
【図３】元画像１と万線画像２を重ねた重ね画像３を示す図である。
【図４】図３のＡの部分の拡大図である。
【図５】第１の部分画像４を示す図である。
【図６】図５のＢの部分の拡大図である。
【図７】第２の部分画像５を示す図である。
【図８】図７のＣの部分の拡大図である。
【図９】第３の部分画像６を示す図である。
【図１０】図９のＤの部分の拡大図である。
【図１１】合成画像７を示す図である。
【図１２】図１１のＥの部分の拡大図である。
【図１３】判別具１００を示す図である。
【図１４】判別具１００を用いて合成画像７を見た図である。
【発明を実施するための形態】
【００２０】
以下、図面を参照して本発明にかかる一実施形態としての潜像を有する印刷物について説明する。
【００２１】
図１は、本実施形態の元画像の一例を示す図である。
【００２２】
本実施形態の元画像１は、図１に示すように、背景１１と、背景１１に描かれた図柄１２と、を有する。なお、元画像１は、背景１１と図柄１２に分割されたものである必要はなく、写真や絵画等のようなものでもよい。
【００２３】
図２は、本実施形態の万線画像の一例を示す図である。
【００２４】
図２に示すように、万線画像２は、周辺部２１と、潜像部２２と、を有する。周辺部２１と潜像部２２とでは万線の傾き角度が異なっている。本実施形態では、周辺部２１の第１の万線２ａを右上がり４５°で形成し、潜像部２２の第２の万線２ｂを左上がり４５°で形成している。すなわち万線の角度が９０°異なっている。各万線２ａ，２ｂの線幅は３００μｍ以下である。
【００２５】
図３は元画像１と万線画像２を重ねた重ね画像３を示す図、図４は図３のＡの部分の拡大図である。
【００２６】
図１に示した元画像１と図２に示した万線画像２とを重ねると、図３に示すように、元画像１に第１の万線２ａ及び第２の万線２ｂが引かれた重ね画像３となる。重ね画像３は、図２に示した周辺部２１に対応する重ね周辺部３１と、図２に示した潜像部２２に対応する重ね潜像部３２を有する。
【００２７】
図４に示すように、重ね周辺部３１は、第１の万線２ａによって、それぞれ平行な第１の重ね周辺領域３１ａと第２の重ね周辺領域３１ｂに分割される。第１の重ね周辺領域３１ａと第２の重ね周辺領域３１ｂとは第１の万線２ａを挟んで交互に配置される。
【００２８】
同様に、図４に示すように、重ね潜像部３２は、第２の万線２ｂによって、それぞれ平行な第１の重ね潜像領域３２ａと第２の重ね潜像領域３２ｂに分割される。第１の重ね潜像領域３２ａと第２の重ね潜像領域３２ｂとは第２の万線２ｂを挟んで交互に配置される。
【００２９】
図５は第１の部分画像４を示す図、図６は図５のＢの部分の拡大図である。
【００３０】
図５に示すように、第１の部分画像４は、図４に示した重ね画像３のうち、第１の重ね周辺領域３１ａに対応する部分と第１の重ね潜像領域３２ａに対応する部分からなる画像である。第２の重ね周辺領域３１ｂに対応する部分と第２の重ね潜像領域３２ｂに対応する部分は空白である。
【００３１】
図６に示すように、第１の部分画像４は、第１の部分周辺部４１と、第１の部分潜像部４２とを有する。
【００３２】
第１の部分周辺部４１は、第１の部分画像領域４１ａと、第１の部分非画像領域４１ｂとを有する。第１の部分画像領域４１ａ及び第１の部分非画像領域４１ｂは、図４に示した第１の重ね周辺領域３１ａ及び第２の重ね周辺領域３１ｂにそれぞれ対応して、右上がり４５°のそれぞれ平行な領域となる。
【００３３】
また、第１の部分潜像部４２は、第１の部分潜像領域４２ａと、第１の部分非潜像領域４２ｂとを有する。第１の部分潜像領域４２ａ及び第１の部分非潜像領域４２ｂは、図４に示した第１の重ね潜像領域３２ａ及び第２の重ね潜像領域３２ｂにそれぞれ対応して、左上がり４５°のそれぞれ平行な領域となる。
【００３４】
すなわち、元画像１を第１の万線２ａにより平行に分割し、それぞれ異なる隣り合う２つの第１の万線２ａに挟まれた第１の部分画像領域４１ａと、隣り合う第１の部分画像領域４１ａに挟まれた第１の部分非画像領域４１ｂと、元画像１を第１の万線２ａと角度の異なる第２の万線２ｂにより平行に分割し、それぞれ異なる隣り合う２つの万線に挟まれた第１の部分潜像領域４２ａと、隣り合う第１の部分潜像領域４２ａに挟まれた第１の部分非潜像領域４２ｂと、を備える
【００３５】
図７は第２の部分画像５を示す図、図８は図７のＣの部分の拡大図である。
【００３６】
図７に示すように、第２の部分画像５は、図４に示した重ね画像３のうち、第２の重ね周辺領域３１ｂに対応する部分と第２の重ね潜像領域３２ｂに対応する部分からなる画像である。第１の重ね周辺領域３１ａに対応する部分と第１の重ね潜像領域３２ａに対応する部分は空白である。
【００３７】
図８に示すように、第２の部分画像５は、第２の部分周辺部５１と、第２の部分潜像部５２とを有する。
【００３８】
第２の部分周辺部５１は、第２の部分画像領域５１ａと、第２の部分非画像領域５１ｂとを有する。第２の部分画像領域５１ａ及び第２の部分非画像領域５１ｂは、図４に示した第１の重ね周辺領域３１ａ及び第２の重ね周辺領域３１ｂにそれぞれ対応して、右上がり４５°のそれぞれ平行な領域となる。
【００３９】
また、第２の部分潜像部５２は、第２の部分潜像領域５２ａと、第２の部分非潜像領域５２ｂとを有する。第２の部分潜像領域５２ａ及び第２の部分非潜像領域５２ｂは、図４に示した第１の重ね潜像領域３２ａ及び第２の重ね潜像領域３２ｂにそれぞれ対応して、左上がり４５°のそれぞれ平行な領域となる。
【００４０】
すなわち、元画像１を第１の万線２ａにより平行に分割し、それぞれ異なる隣り合う２つの第１の万線２ａに挟まれた第２の部分画像領域５１ａと、隣り合う第２の部分画像領域５１ａに挟まれた第２の部分非画像領域５１ｂと、元画像１を第１の万線２ａと角度の異なる第２の万線２ｂにより平行に分割し、それぞれ異なる隣り合う２つの万線に挟まれた第２の部分潜像領域５２ａと、隣り合う第２の部分潜像領域５２ａに挟まれた第２の部分非潜像領域５２ｂと、を備える
【００４１】
図９は第２の部分画像５を調整した第３の部分画像６を示す図、図１０は図９のＤの部分の拡大図である。
【００４２】
図９に示すように、第３の部分画像６は、図９に示した第２の部分画像５のコントラストを調整したものである。
【００４３】
図１０に示すように、第３の部分画像６は、第３の部分周辺部６１と、第３の部分潜像部６２とを有する。
【００４４】
第３の部分周辺部６１は、第３の部分画像領域６１ａと、第３の部分非画像領域６１ｂとを有する。第３の部分画像領域６１ａ及び第３の部分非画像領域６１ｂは、図８に示した第２の部分画像領域５１ａ及び第２の部分非画像領域５１ｂに対応し、第２の部分画像領域５１ａ及び第２の部分非画像領域５１ｂよりもコントラストを大きくしたものである。コントラストは＋３０〜５０％が好ましい。
【００４５】
また、第３の部分潜像部６２は、第３の部分潜像領域６２ａと、第３の部分非潜像領域６２ｂとを有する。第３の部分潜像領域６２ａ及び第３の部分非潜像領域６２ｂは、図８に示した第２の部分潜像領域５２ａ及び第２の部分非潜像領域５２ｂに対応し、第２の部分潜像領域５２ａ及び第２の部分非潜像領域５２ｂよりもコントラストを大きくしたものである。コントラストの調整は、元の画像に対して＋３０〜５０％が好ましい。
【００４６】
すなわち、元画像１を第１の万線２ａにより平行に分割し、それぞれ異なる隣り合う２つの第１の万線２ａに挟まれた第３の部分画像領域６１ａと、隣り合う第３の部分画像領域６１ａに挟まれた第３の部分非画像領域６１ｂと、元画像１を第１の万線２ａと角度の異なる第２の万線２ｂにより平行に分割し、それぞれ異なる隣り合う２つの万線に挟まれた第３の部分潜像領域６２ａと、隣り合う第３の部分潜像領域６２ａに挟まれた第３の部分非潜像領域６２ｂと、を備える。
【００４７】
なお、本実施形態では、第３の部分画像領域６１ａと第３の部分非画像領域６１ｂのコントラスト及び第３の部分潜像領域６２ａと第３の部分非潜像領域６２ｂのコントラストを調整したが、第３の部分画像領域６１ａ及び第３の部分潜像領域６２ａの明るさ、若しくは、第３の部分非画像領域６１ｂ及び第３の部分非潜像領域６２ｂの明るさを調整してもよい。明るさの調整は、元の画像に対して＋３０〜５０％が好ましい。
【００４８】
図１１は第１の部分画像４と第３の部分画像６を合成した合成画像７を示す図、図１２は図１１のＥの部分の拡大図である。
【００４９】
図１１に示すように、印刷物としての合成画像７は、図５に示した第１の部分画像４と、図９に示した第３の部分画像６を合成したものである。
【００５０】
図１２に示すように、合成画像７は、合成周辺部７１と、合成潜像部７２とを有する。
【００５１】
合成周辺部７１は、第１の画像領域としての第１の合成画像領域７１ａと第２の画像領域としての第２の合成画像領域７１ｂとを有する。第１の合成画像領域７１ａは、図５に示した第１の部分画像領域４１ａに対応する。また、第２の合成画像領域７１ｂは、図５に示した第１の部分画像領域４１ｂに対応する。したがって、第２の合成画像領域７１ｂは、第１の合成画像領域７１ａよりもコントラストが大きい。
【００５２】
合成潜像部７２は、第１の潜像領域としての第１の合成潜像領域７２ａと第２の潜像領域としての第２の合成潜像領域７２ｂとを有する。第１の合成潜像領域７２ａは、図５に示した第１の部分潜像領域４２ａに対応する。また、第２の合成潜像領域７２ｂは、図５に示した第１の部分潜像領域４２ｂに対応する。したがって、第２の合成潜像領域７２ｂは、第１の合成潜像領域７２ａよりもコントラストが大きい。
【００５３】
このように、印刷物としての合成画像７は、元画像１を第１の万線２ａにより平行に分割し、それぞれ異なる隣り合う２つの第１の万線２ａに挟まれた第１の合成画像領域７１ａと、隣り合う第１の合成画像領域７１ａに挟まれ元画像１を調整した第２の合成画像領域７１ｂと、元画像１を第１の万線２ａと性質の異なる第２の万線２ｂにより平行に分割し、それぞれ異なる隣り合う２つの万線に挟まれた第１の合成潜像領域７２ａと、隣り合う第１の合成潜像領域７２ａに挟まれ元画像１を調整した第２の合成潜像領域７２ｂと、を備えるので、判別具１００を重ねて観察した場合に、元画像１の色の変化を低減させて意匠性に優れると共に、合成周辺部７１と合成潜像部７２とで発現するモアレに差ができるので、潜像の顕像化に優れ、偽造及び不正コピーを防止することが可能となる。
【００５４】
図１３は判別具１００を示す図、図１４は判別具１００を用いて合成画像７を見た図である。
【００５５】
判別具１００は、図２に示した万線画像２の周辺部２１の第１の万線２ａと同じ右上がりの傾き角度α100＝４５°で形成した直線透明部１００ａと直線不透明部１００ｂを有する。
【００５６】
図１３に示したように、判別具１００は、万線画像２の周辺部２１の第１の万線２ａと同じ傾き角度及び同じ繰り返しピッチを持つ平行な直線透明部１００ａと直線不透明部１００ｂとの繰り返しパターンを有する。したがって、判別具１００を合成画像７に重なると、図１４に示したように、合成画像７の合成周辺部７１と合成潜像部７２とで発現するモアレに差ができるので顕像化する。
【００５７】
このように、判別システムとして、元画像１を第１の万線２ａにより平行に分割し、それぞれ異なる隣り合う２つの第１の万線２ａに挟まれた第１の合成画像領域７１ａ、隣り合う第１の合成画像領域７１ａに挟まれ元画像１を調整した第２の合成画像領域７１ｂ、元画像１を第１の万線２ａと性質の異なる第２の万線２ｂにより平行に分割し、それぞれ異なる隣り合う２つの万線に挟まれた第１の合成潜像領域７２ａ、及び隣り合う第１の合成潜像領域７２ａに挟まれ元画像１を調整した第２の合成潜像領域７２ｂ、を有する印刷物としての合成画像７と、第１の万線２ａ又は第２の万線２ｂと同じ傾き角度及び同じ繰り返しピッチを持つ平行な直線透明部１００ａと直線不透明部１００ｂとの繰り返しパターンを有する判別具１００と、を備えるので、判別具１００を重ねて観察した場合に、元画像１の色の変化を低減させて意匠性に優れると共に、合成周辺部７１と合成潜像部７２とで発現するモアレに差ができるので、潜像の顕像化に優れ、偽造及び不正コピーを防止することが可能となる。
【００５８】
なお、判別具１００の直線透明部１００ａ及び直線不透明部１００ｂは、図２に示した万線画像２の潜像部２２の第２の万線２ｂと同じ傾き角度及び同じ繰り返しピッチで形成してもよい。この場合、判別具１００を合成画像７に重なると、合成画像７の合成周辺部７１と合成潜像部７２とで発現するモアレに差ができるので顕像化する。
【００５９】
また、本実施形態では、万線画像２の周辺部２１の第１の万線２ａと潜像部２２の第２の万線２ｂとの傾き角度が異なるように形成したが、繰り返しピッチ、又は傾き角度と繰り返しピッチの両方が異なるように形成してもよい。この場合、判別具１００の直線透明部１００ａ及び直線不透明部１００ｂも万線画像２にあわせて繰り返しピッチ又は傾き角度と繰り返しピッチの両方が異なるように形成することが好ましい。
【００６０】
以上、本発明の隠しパターンを内包する印刷物をいくつかの実施例に基づいて説明してきたが、本発明はこれら実施例に限定されず種々の変形が可能である。
【符号の説明】
【００６１】
１…元画像
１１…背景
１２…図柄
２…万線画像
２１…周辺部
２２…潜像部
２ａ…第１の万線
２ｂ…第２の万線
３…重ね画像
３１…重ね周辺部
３１ａ…第１の重ね周辺領域
３１ｂ…第２の重ね周辺領域
３２…重ね潜像部
３２ａ…第１の重ね潜像領域
３２ｂ…第２の重ね潜像領域
４…第１の部分画像
４１…第１の部分周辺部
４１ａ…第１の部分画像領域
４１ｂ…第１の部分非画像領域
４２…第１の部分潜像部
４２ａ…第１の部分潜像領域
４２ｂ…第１の部分非潜像領域
５…第２の部分画像
５１…第２の部分周辺部
５１ａ…第２の部分画像領域
５１ｂ…第２の部分非画像領域
５２…第２の部分潜像部
５２ａ…第２の部分潜像領域
５２ｂ…第２の部分非潜像領域
６…第３の部分画像
６１…第３の部分周辺部
６１ａ…第３の部分画像領域
６１ｂ…第３の部分非画像領域
６２…第３の部分潜像部
６２ａ…第３の部分潜像領域
６２ｂ…第３の部分非潜像領域
７…合成画像（印刷物）
７１…合成周辺部
７１ａ…第１の合成画像領域（第１の画像領域）
７１ｂ…第２の合成画像領域（第２の画像領域）
７２…合成潜像部
７２ａ…第１の合成潜像領域（第１の潜像領域）
７２ｂ…第２の合成潜像領域（第２の潜像領域）
１００…判別具
１００ａ…透明部
１００ｂ…不透明部
【図１】
0005843058.tif 000002
【図２】
0005843058.tif 000003
【図３】
0005843058.tif 000004
【図４】
0005843058.tif 000005
【図５】
0005843058.tif 000006
【図６】
0005843058.tif 000007
【図７】
0005843058.tif 000008
【図８】
0005843058.tif 000009
【図９】
0005843058.tif 000010
【図１０】
0005843058.tif 000011
【図１１】
0005843058.tif 000012
【図１２】
0005843058.tif 000013
【図１３】
0005843058.tif 000014
【図１４】
0005843058.tif 000015